(57)【要約】【課題】化粧料を過剰に取り出すことのない取り出し手段を備えた衛生的にして操作性の好い容器を提供する。【解決手段】頚部２を有する本体１と、前記本体１に嵌合する蓋体１０と、前記本体１に水平回動可能に嵌挿されスリット状の挿通孔２１が設けられた掻き取り栓２０と、前記掻き取り栓２０の挿通孔２１を挿通し前記本体１の底壁３近傍に達する付着部の３１上端に摘み部３２を設けたスパチュラ３０と、を有して構成されており、掻き取り栓２０を回転させることによりスパチュラ３０の付着部３１に化粧料Ｋが確実に付着し、スパチュラ３０を掻き取り栓２０から引き抜くことにより、余分に付着した化粧料を掻き取り栓２０で掻き落として使用に好適な量の化粧料を取り出せるようにした。【選択図】      図２
2004321271.tif 000002
【特許請求の範囲】
【請求項１】
頚部を有する本体と、前記本体に嵌合する蓋体と、前記本体に水平回動可能に嵌挿されスリット状の挿通孔が設けられた掻き取り栓と、前記掻き取り栓の挿通孔を挿通し前記本体の底壁近傍に達する付着部の上端に摘み部を設けたスパチュラと、を有して構成したことを特徴とする化粧料容器。
【請求項２】
掻き取り栓にスパチュラを挿通孔へ案内するガイド片を突設したことを特徴とする請求項１記載の化粧料容器。
【請求項３】
スパチュラの摘み部の基端に挿通孔を閉塞するフランジを形設したことを特徴とする請求項１又は請求項２記載の化粧料容器。
【発明の詳細な説明】
【０００１】
【産業上の利用分野】
本発明は、ファンデーションやクリーム等、粘性のある、あるいは流動性の低い化粧料を収納し、化粧に際し適当な量の化粧料を取り出すのに好適な化粧料容器に関する。
【０００２】
【従来の技術】
従来より、ファンデーションやクリームのような粘性や流動性のある化粧料を収納し、化粧料に手を触れることなく適当な量を取り出す手段を具えた容器として、例えば、実開昭５１−５８７５３号公報に開示されたスプーン付き容器や、実開昭５７−１２９０４２号公報に開示されたヘラ付き容器、実用新案登録第２５４２０８９号公報に開示されたスプーン付き容器が公知である。これらの容器は、容器に具備されたスプーンやヘラを用いて容器中の化粧料を適当量すくい取って使用するようになっている。
【０００３】
【発明が解決しようとする課題】
しかしながら、実開昭５１−５８７５３号公報に開示されたスプーン付き容器は、スプーンを蓋の内側に取り付けた構造であるので、スプーンの使い勝手がわるい。また、実開昭５７−１２９０４２公報に開示されたヘラ付き容器は、付属のヘラを容器内に収納しておく際に、ヘラの保持片を容器の口部端面に形成した凹部に嵌着しておく構成であるので、ヘラの保持片に化粧料が付着し易く、手を汚しやすい。また、実用新案登録第２５４２０８９号公報に開示されたスプーン付きの容器は、付属のスプーンを容器の外側で保持する構成であるので、保管中に埃が付着し易く衛生的に問題がある。
【０００４】
更に、上記従来の容器は、何れも開放された容器の口からスプーンやヘラを用いて適量の化粧料を手加減で取り出す構成であるので、手加減を誤って化粧料を過剰に取り出してしまい、取り出した過剰な化粧料を容器に戻して使用量の調整をしなければならなかった。
【０００５】
また、容器の口を全開して使用することから、容器の口から埃が入り易いうえに、スプーンやヘラに化粧料をまんべんなく付着させる必要から、全開した状態の容器にスプーンやヘラをさし込んで化粧料を掻き回すので、衛生的にも問題があった。
【０００６】
本発明は、上記の問題に鑑みてなされたもので、化粧料を過剰に取り出すことのない取り出し手段を備えた衛生的にして操作性の好い容器にすることにある。
【０００７】
【課題を解決するための手段】
本発明は、頚部を有する本体と、前記本体に嵌合する蓋体と、前記本体に水平回動可能に嵌挿されスリット状の挿通孔が設けられた掻き取り栓と、前記掻き取り栓の挿通孔を挿通し前記本体の底壁近傍に達する付着部の上端に摘み部を設けたスパチュラと、を有して構成されており、掻き取り栓を回転させることによりスパチュラの付着部に化粧料が確実に付着し、スパチュラを掻き取り栓から引き抜くことにより、余分に付着した化粧料を掻き取り栓で掻き落とし、充填化粧料を掻き取り栓で空気中の塵埃からほぼ遮断したまま使用に好適な量の化粧料を取り出せるようにした。
【０００８】
また、掻き取り栓にスパチュラを挿通孔へ案内するガイド片を突設し、掻き取り栓へのスパチュラの挿入を容易にすると好い。また、ガイド片を突設することにより、スパチュラを直立状態に保つ補助となり、スパチュラを使った掻き取り栓の回転操作をより容易にする補助機能を有する。
【０００９】
また、スパチュラの摘み部の基端に挿通孔を閉塞するフランジを形設し、挿通孔にスパチュラを挿通して容器内に収納したとき、スパチュラのフランジで挿通孔を密閉するようにしても好い。
【００１０】
【発明の実施の形態】
以下、本発明の好適な実施の形態を、添付した図面を参照しなから詳細に説明する。
【００１１】
本発明の化粧料容器は、図１乃至図３に示すように、頚部２を有する本体１と、前記本体１に嵌合する蓋体１０と、前記本体１に水平回動可能に嵌挿され凹所２５にスリット状の挿通孔２１が設けられた掻き取り栓２０と、前記掻き取り栓２０の挿通孔２１を挿通し前記本体１の底壁３に達する付着部３１の上端に摘み部３２を設けたスパチュラ３０と、を有して構成されている。
【００１２】
本体１は、広口の頚部２を有する瓶であり、頚部２の外周には雄ネジ４が刻設されている。
【００１３】
蓋体１０は、内周壁に本体１の雄ネジ４と螺合する雌ネジ１１が刻設され、頂壁１２の下面にはパッキン１３が貼着されている。
【００１４】
掻き取り栓２０は、円形の掻き取り板部２２の外縁に上端にフランジ部２３を形成した周壁部２４を立設して成る皿状の凹所２５を有する栓体であり、本体１の頚部２に水平回動可能に嵌挿されている。尚、凹所２５は、必ずしも図指した掻き取り栓２０で構成されるものではなく、例えば、板状の掻き取り栓を本体１の頚部２の内奥に回動可能に組み付け、頚部２と掻き取り栓とで凹所２５を構成しても好い（図指省略）。
【００１５】
この掻き取り栓２０における掻き取り板部２２の中心から半径に亘って、スパチュラ３０の付着部３１が挿通可能なスリット状の挿通孔２１が穿設されている。
【００１６】
この挿通孔２１は、スパチュラ３０の付着部３１を挿通してスパチュラ３０を容器内に格納するとともに本体１に充填された化粧料Ｋをスパチュラ３０の付着部３１に適量付着させて取り出す為のものであり、付着させる化粧料Ｋの適量を見込んだ大きさのスリットに設定されている。
【００１７】
従って、スパチュラ３０の付着部３１が挿通孔２１から引き抜かれると、余分に付着した化粧料は掻き取り板部２２で掻き落とされ、付着部３１に適量の化粧料Ｋが付着して取り出される。尚、挿通孔２１は、本体１の内周壁に付着した化粧料Ｋをスパチュラ３０で掻き落とせるように、スパチュラ３０が本体１の内周壁にできる限り近く位置するように設定することが好ましい。
【００１８】
図４は、掻き取り栓２０の内壁２４に沿ってスパチュラ３０を挿通孔２１へ案内する一対のガイド片２６を突設したものである。掻き取り栓２０にガイド片２６を設けたことにより、挿通孔２１へのスパチュラ３０の挿入が容易になる。また、ガイド片は、容器内に格納されたスパチュラを直立状態に保つ補助となるとともに、スパチュラを使った掻き取り栓の回転操作をより容易にする補助機能を有している。
【００１９】
スパチュラ３０は、掻き取り栓２０の挿通孔２１を挿通して本体１の底壁３に達する付着部３１と、付着部３１の上端に設けられた摘み部３２と、摘み部３２の基端部周りに形設され挿通孔２１を閉塞する為のフランジ３３とから構成されている。スパチュラ３０は、エラストマー等柔軟性のある材質を使った成形品であることが好ましい。使用の際に、弾性変形を利用してスパチュラ３０を傾け、本体１内壁面に圧接しながら掻き取り操作することにより、充填化粧料Ｋを残すことなく取り出すことができる。
【００２０】
図５（Ａ）は、スパチュラ３０の付着部３１を掻き取り栓２０へ挿通した状態を示しており、この付着部３１には化粧料の付着量を増す為に先細りになるテーパーがつけられている。従って、図（Ｂ）に示すように、引き抜いた付着部３１には余分な化粧料を掻き落とした後の所望量の化粧料Ｋが付着する。
【００２１】
図６（Ａ）〜（Ｅ）は、スパチュラ３０の付着量を増す為のバリエーションを示しており、基本的には何れも付着部３１の表面積を増すものである。（Ａ）は、付着部３１に複数の凸条３４を設けたものであり、（Ｂ）は、付着部３１に複数の穴３５を設けたものであり、（Ｃ）は、付着部３１に複数の突起３６を設けたものであり、（Ｄ）は、付着部３１にスリット３７を設けたものであり、（Ｅ）は、付着部３１の先端部３８を反らせたものである。尚、付着部３１への付着量を増す手段は図指のものに限定されるものではない。
【００２２】
次に、上述した実施の形態の使用について説明する。スパチュラ３０の摘み部３２を摘み、充填化粧料Ｋに没入している付着部３１を掻き取り栓２０から引き抜くと、付着部３１に付着した余分な化粧料は掻き取り栓２０で掻き落とされる。従って、スパチュラ３０を引き上げるだけの操作で適量の化粧料を付着部３１に付着させて取り出すことができる。
【００２３】
化粧料を取り去ったスパチュラ３０は、その付着部３１を掻き取り栓２０の挿通孔２１に挿通して本体１内に戻し、容器内に格納される。そして、次に使用するときは、スパチュラ３０の摘み部３２を使ってスパチュラ３０を旋回させることにより掻き取り栓２０を水平回転させ、付着部３１で充填化粧料Ｋを掻き回して確実に化粧料を付着させることができる。
【００２４】
尚、充填化粧料Ｋの粘度が高く回転操作をするスパチュラ３０への抵抗が大きい場合は、図７に示すように、掻き取り栓２０におけるフランジ部２３の下面に係合溝２７を設け、この掻き取り栓２０を本体１の頚部２の上端に周設した係合突起５とアンダーカット係合させて回転可能に嵌挿して構成し、掻き取り栓２０のフランジ部２３を把持して回転操作をするようにしても好い。
【００２５】
また、蓋体１０も、図１に示したネジ蓋に限るものではなく、図８に示すように、ヒンジ蓋１４付きの蓋体１０ａを使用しても好い。この蓋体１０ａは、ヒンジ蓋１４の先端部１５に指先をかけてヒンジ１６を使って開閉することができるので、蓋体１０ａを取り外すことなくスパチュラ３０の操作ができ、便利である。
【００２６】
図９乃至図１０に示す化粧料容器は、携帯に便利なように細身にしたものである。掻き取り栓２０の掻き取り板部２２には、スパチュラ３０の付着部３１が挿通可能なスリット状の挿通孔２１が直径に亘って穿設されている。
【００２７】
従って、スパチュラ３０を摘んで水平回転させることにより掻き取り栓２０も水平回転し、掻き取り栓２０を取り外すことなくスパチュラ３０に充填化粧料Ｋを確実に付着させ、無駄なく取り出すことができる。
【００２８】
【発明の効果】
本発明は、以上説明したような形態で実施され、以下に記載されるような効果を奏する。
【００２９】
本発明によれば、掻き取り栓を嵌挿したままスパチュラを使って充填化粧料の攪拌ができるとともに、スパチュラを掻き取り栓から引き抜くだけで所定量の化粧料を取り出せるようにしたので、充填化粧料を空気中の塵埃から遮断したまま使用することができ、衛生的にして使い易い容器である。
【００３０】
また、保管時にはスパチュラが容器内に格納されるので、スパチュラを衛生的に保つことができるとともに、格納中にはスパチュラの摘み部が掻き取り栓を介して充填化粧料と隔離されているので、摘み部に化粧料が付着せず、手を汚す心配なく使用することができる。
【００３１】
また、スパチュラにフランジを設けることにより、格納されたスパチュラのフランジで挿通孔を密閉することができ、充填化粧料の漏出を確実に防止することができる。
【図面の簡単な説明】
【図１】本発明の化粧料容器の実施の形態をを示す断面図。
【図２】図１の化粧料容器を示す分解斜視図。
【図３】図１の化粧料容器における掻き取り栓を嵌挿した本体を示す平面図。
【図４】本発明の化粧料容器に使用される別の掻き取り栓を示す斜視図。
【図５】本発明の化粧料容器に使用される別のスパチュラの使用状態を拡大して示す、（Ａ）は格納状態の部分断面図、（Ｂ）は引き抜かれた状態の部分断面図。
【図６】本発明の化粧料容器に使用される別のスパチュラ（Ａ）〜（Ｅ）の例を示す斜視図。
【図７】本発明の化粧料容器に使用される別の掻き取り栓の装着状態を示す断面図。
【図８】本発明の化粧料容器に使用される別の蓋体の装着状態を示す断面図。
【図９】本発明の化粧料容器の別の実施の形態を示す断面図。
【図１０】図９の化粧料容器における掻き取り栓を嵌挿した本体を示す平面図。
【符号の説明】
１  本体，２  頚部，３  底壁，１０  蓋体，２０  掻き取り栓，２１  挿通孔，２６  ガイド片，３０  スパチュラ，３１  付着部，３２  摘み部，３３フランジ，
【図１】
2004321271.tif 000003
【図２】
2004321271.tif 000004
【図３】
2004321271.tif 000005
【図４】
2004321271.tif 000006
【図５】
2004321271.tif 000007
【図６】
2004321271.tif 000008
【図７】
2004321271.tif 000009
【図８】
2004321271.tif 000010
【図９】
2004321271.tif 000011
【図１０】
2004321271.tif 000012